(57)【特許請求の範囲】
【請求項１】
透光性を有する基板の背面側に設けた２つの電極夫々の端縁部を露出させるようにして形成した電極端子に電力を供給することにより、それらの２つの電極間に配設した有機発光層が発光する有機ＥＬ素子を有する面状発光モジュールであって、
前記基板の背面側に、所定の溝幅を有する開口溝が設けられ、
前記電極端子は、前記開口溝内に配設されていることを特徴とする面状発光モジュール。
【請求項２】
前記基板は、絶縁性を有するものから構成され、
前記開口溝は、前記基板の側端部に、その基板の背面の一部を凹ませるようにして形成されていることを特徴とする請求項１記載の面状発光モジュール。
【請求項３】
前記基板の側端部に連結された絶縁性を有する連結部材が設けられ、
前記開口溝は、前記連結部材の背面の一部を凹ませるようにして形成されていることを特徴とする請求項１記載の面状発光モジュール。
【請求項４】
請求項１〜３の何れか一項に記載の面状発光モジュールと、照明器具本体とを備え、
前記照明器具本体は、前記面状発光モジュールを着脱自在に保持する保持部材を備え、
前記保持部材は、前記面状発光モジュールを収納する出し入れ口を有する収納部と、この収納部に出し入れ口から面状発光モジュールを入れる際に前記面状発光モジュールの開口溝に入り込んで摺動する突条と、その突条の突出先端に設けられ前記開口溝内の電極端子に接触して通電可能に接続する給電端子とを備えていることを特徴とする照明器具。
【発明の詳細な説明】
【技術分野】
【０００１】
本発明は、有機発光層を発光させる面状発光モジュール及び照明器具に関するものである。
【背景技術】
【０００２】
従来から、有機発光層を発光させる面状発光モジュールを備えた照明器具が知られている。例えば透明な基板の背面側に２つの電極と有機発光層とを、それらの電極間に有機発光層を裏表両側から挟むように配設するとともに、その背面側から絶縁性の封止層で被覆し、それらの電極夫々の端縁部を封止層から露出させるようにして形成した電極端子（陽極端子部、陰極端子部）に電力を供給することにより、有機発光層が発光する面状発光モジュール（発光パネル）と、面状発光モジュールを着脱自在に保持する保持部材とを備え、面状発光モジュールの着脱の作業性を向上させることができるようにしたものが提案されている（特許文献１、図２参照）。
【特許文献１】特開２００７−２５０３０２号公報
【発明の開示】
【発明が解決しようとする課題】
【０００３】
しかし、特許文献１に記載の面状発光モジュールは、電極端子が露出している。そのため、電極端子に電力供給可能状態で面状発光モジュールの着脱の作業を行う際の安全性を向上させたいという要望がある。
【０００４】
本発明は、面状発光モジュールの着脱の作業を行う際の安全性を向上させ得る面状発光モジュール及び照明器具の提供を目的とする。
【課題を解決するための手段】
【０００５】
前記課題を解決するために、本発明の請求項１は、透光性を有する基板の背面側に設けた２つの電極夫々の端縁部を露出させるようにして形成した電極端子に電力を供給することにより、それらの２つの電極間に配設した有機発光層が発光する有機ＥＬ素子を備えた面状発光モジュールであって、前記基板の背面側に、所定の溝幅を有する開口溝が設けられ、前記電極端子は、前記開口溝内に配設されていることを特徴とする面状発光モジュールを提供する。
【０００６】
請求項２のように、前記基板は、絶縁材料から構成され、前記開口溝は、前記基板の側端部に、その基板の背面の一部を凹ませるようにして形成されていることが好ましい。
【０００７】
請求項３のように、前記基板の側端部に連結された絶縁性を有する連結部材が設けられ、前記開口溝は、前記連結部材の背面の一部を凹ませるようにして形成されていることが好ましい。
【０００８】
又、本発明の請求項４は、請求項１〜３の何れか一項に記載の面状発光モジュールと、照明器具本体とを備え、前記照明器具本体は、前記面状発光モジュールを着脱自在に保持する保持部材を備え、前記保持部材は、前記面状発光モジュールを収納する出し入れ口を有する収納部と、この収納部に出し入れ口から面状発光モジュールを入れる際に前記面状発光モジュールの開口溝に入り込んで摺動する突条と、その突条の突出先端に設けられ前記開口溝内の電極端子に接触して通電可能に接続する給電端子とを備えていることを特徴とする照明器具を提供する。
【発明の効果】
【０００９】
請求項１によれば、基板の背面側に、所定の溝幅を有する開口溝が設けられ、この開口溝に電極端子が入れられているため、電極端子に電力供給可能状態でも面状発光モジュールの着脱の作業を安全に行うことができ、面状発光モジュールの着脱の作業の際の安全性を向上させることができる。
【００１０】
請求項２によれば、開口溝は、絶縁材料から構成された基板の側端部に、その背面の一部を背面から凹ませるようにして形成しているため、別途に開口溝を形成するための部材等を不要にでき、開口溝の形成を容易なものにできるとともに、部品点数が多くなるようなことを防止できる。
【００１１】
請求項３によれば、連結部材に、連結部材の背面の一部を凹ませるようにして開口溝を形成しているため、連結部材を基板に連結させれば、基板の側端部に開口溝を配設でき、開口溝の形成を容易なものにできる。
【００１２】
請求項４によれば、照明器具本体の保持部材は、出し入れ口を有する収納部と、面状発光モジュールの開口溝に入り込んで摺動する突条と、突条の突出先端に開口溝内の電極端子に接触して通電可能に接続する給電端子とを備えているため、面状発光モジュールを保持部材に、出し入れ口から押し入れれば良く、これにより、突条が面状発光モジュールの開口溝に入り込んで開口溝内の電極端子と給電端子とを接触させることができる。
【００１３】
又、その際、突条が開口溝に沿って摺動し、開口溝が突条に案内される。従って、面状発光モジュールを収納部に収納させて保持部材に保持させる操作を容易なものにできる。しかも、電極端子は開口溝内に入れられているため、電極端子に電力供給可能状態でも面状発光モジュールの着脱の作業を安全に行うことができ、面状発光モジュールの着脱の作業の際の安全性を向上させることができる。
【発明を実施するための最良の形態】
【００１４】
以下、本発明を実施するための最良の形態について、図面を参照しながら詳細に説明する。
【００１５】
図１は、本発明の面状発光モジュールの背面図、図２は、図１のＩＩ―ＩＩ線断面図である。本発明の面状発光モジュール１は、有機ＥＬ素子１０と、この有機ＥＬ素子１０の外周側を保持した図示しない枠体とを備えている。
【００１６】
有機ＥＬ素子１０は、図１、図２に示すように、基板２と、２つの電極３、５と、有機発光層４と、封止層６とを備えている。
【００１７】
基板２は、透光性を有する板状体から構成されている。この実施形態では、透明な絶縁性を有するガラス製の長方形状のものから構成されている。基板２の背面２ｂ側における一側端側（図の左側端側）に、第１の開口溝２１が備えられているとともに、基板２の背面２ｂ側の他側端側（図の右側端側）に、第２の開口溝２２が備えられている。
【００１８】
これらの第１及び第２の開口溝２１、２２は、後述の電極３、５の電極端子３２、５２を収納等するためのもので、この実施形態では、第１の開口溝２１と第２の開口溝２２とは、基板２に、左右対称になるように形成されている。
【００１９】
詳しくは、第１の開口溝２１と第２の開口溝２２とは、基板２の背面２ｂにおける側端部を、５ｍｍ程度の溝幅で、且つ、背面２ｂから５ｍｍ程度の深さで、前端から後端に至る全長に渡って、長溝状に形成さている。
【００２０】
尚、開口溝２１、２２の溝幅は、５ｍｍ程度のものに限らず、適宜変更できるが、例えば手の指が入らない程度の溝幅を有するものとすることにより、開口溝２１、２２内の電極端子３２、５２に触れるおそれがほとんどないものにできる点で、より好ましい。
【００２１】
電極３、５は、陽極を構成する板状の透明電極３と、陰極を構成する板状の金属反射電極５との２つを備えている。透明電極３は、透明電極本体部３１と、透明電極端子（電極端子）３２とから構成されている。透明電極本体部３１は、基板２と有機発光層４との間に配設されている。
【００２２】
透明電極端子３２は、透明電極本体部３１の一側端側（図の左端側）から左方側に延設されている。そして、この透明電極端子３２は、屈曲されるようにして上記第１の開口溝２１内における底部に配設されている。
【００２３】
金属反射電極５は、金属反射電極本体部５１と、金属反射電極端子（電極端子）５２とから構成されている。金属反射電極本体部５１は、基板２ｂの背面側に配設され、この金属反射電極本体部５１と上記透明電極本体部３１とで、基板２を挟むように構成されている。
【００２４】
金属反射電極端子５２は、金属反射電極本体部５１の他側端側（図の右端側）から右方側に延設されている。そして、この金属反射電極端子５２は、屈曲されるようにして第２の開口溝２２内における底部に配設されている。
【００２５】
有機発光層４は、例えばインジウム・すず酸化物（Ｉｎｄｉｕｍ  Ｔｉｎ  Ｏｘｉｄｅ：ＩＴＯ）のような透光性を有する導電材料からなり、例えば厚さ方向に通電されることにより発光する。
【００２６】
そして、この有機発光層４は、上述のように、透明電極本体部３１と金属反射電極本体部５１との間に、透明電極３の透明電極本体部３１の背面全体を覆うように配設されている。
【００２７】
封止層６は、絶縁性の材料、例えばシリコーン樹脂等から構成されている。そして、この封止層６は、金属反射電極本体部５１の背面と側面、および有機発光層４の側面を覆い、有機発光層４を基板２とで気密に封止しているとともに、金属反射電極本体部５１等を保護している。
【００２８】
尚、上記実施形態では、開口溝２１、２２を、基板２の一部を凹ませるようにして形成しているが、この形態のものに限らず、適宜変更できる。例えば基板２の両側端部に連結した連結部材７１によって、電極端子３２、５２を収納した開口溝１２１、１２２を形成するようにしても良い。
【００２９】
より詳しくは、図３に示すように、連結部材７１は、夫々、一側面に、基板２の端部を嵌合する溝状の嵌合部７２と、突出壁７３とを備えている。そして、この連結部材７１の嵌合部７２に、基板２の側端部を嵌合させることにより、連結部材７１を基板２の側端部に連結させるとともに、突出壁７３における基板２の背面からの突出高さを電極端子３２、５２のそれよりも高くなるようにし、突出壁７３と封止層６の外周とでその間に、電極端子３２、５２を収納した開口溝１２１、１２２を形成している。
【００３０】
こうすることにより、突出壁７３を有する連結部材７１を基板２に連結させれば、その突出壁７３と封止層６の外周との間に開口溝１２１、１２２を形成でき、開口溝１２１、１２２の形成を容易なものにできる。
【００３１】
又、連結部材を用いる場合、開口溝２２１、２２２を有する連結部材２７１を用いることもでき、適宜変更できる。例えば図４（Ａ）に示すように連結部材２７１は、それぞれ、一側面側に、基板２の端部を嵌合する溝状の嵌合部２７２を備えているとともに、背面側に、背面の一部を背面から凹ませるようにして形成した開口溝２２１、２２２を備えている。
【００３２】
又、この開口溝２２１、２２２には、電極端子２３２、２５２の一部を構成する接続子２３２ｂ、２５２ｂが収納されている。詳しくは、電極端子２３２、２５２は、電極端子本体２３２ａ、２５２ａと、電極端子本体２３２ａ、２５２ａに通電可能に接続され開口溝２２１、２２２に収納された接続子２３２ｂ、２５２ｂとから構成されている。
【００３３】
そして、連結部材２７１の嵌合部２７２に、基板２の側端部を嵌合させることにより、連結部材２７１を基板２の側端部に連結させるとともに、電極端子本体２３２ａ、２５２ａと接続子２３２ｂ、２５２ｂとを接続させる。
【００３４】
このように構成しても、連結部材２７１を基板２に連結させれば、基板２の側端部に開口溝２２１、２２２を配設でき、開口溝２２１、２２２の形成を容易なものにできる。
【００３５】
尚、連結部材２７１に開口溝２２１、２２２を設ける場合において、上記のように開口溝２２１、２２２に接続子２３２ｂ、２５２ｂを収納する形態のものに限らず、例えば図４（Ｂ）に示すように、電極端子２５２を直接収納するようにしても良く、適宜変更し得る。
【００３６】
次に、本発明の照明器具３００について説明する。この照明器具３００は、図５〜図８に示すように、照明器具本体３０１と、面状発光モジュール１とを備えている。面状発光モジュール１は、上記図１、図２に示したものと同構成のものが用いられている。
【００３７】
照明器具本体３０１は、面状発光モジュール１を着脱自在に保持した保持部材３０２と、電源部（図示せず）とを備えている。保持部材３０２は、図７に示すように、表側に配設された前後一対の表枠片３２１と、表枠片３２１と所定の間隔を隔てて表枠片３２１の背面側に配設された左右一対の裏枠片３２２と、左右の側枠片３２３とを備え、これらによって略直方体状の枠体に形成されている。
【００３８】
又、これらの枠片によって、面状発光モジュール１を収納する収納部３２４が区画形成されている。この収納部３２４は、前端側に、面状発光モジュール１を出し入れする出し入れ口３２５を備えている。
【００３９】
保持部材３０２の裏枠片３２２には、夫々、表枠片３２１側に突出した突条３２６が設けられている。この突条３２６は、面状発光モジュール１の開口溝２２１、２２２にはまり込んで摺動するもので、開口溝２２１、２２２にはまり込み可能な幅で、前後方向に沿って形成されている。
【００４０】
又、突条３２６の突出先端には、図示しない電源部と給電線３２７ａを介して接続された給電端子３２７が設けられている。この給電端子３２７は、突条３２６が面状発光モジュール１の開口溝２２１、２２２にはまり込んだ際に、開口溝２２１、２２２内の電極端子２３２、２５２と接触して通電可能に接続しうるように設定されている。
【００４１】
また、裏枠片３２２の背面側における出し入れ口３２５と反対側の後部側には、壁面としての天井壁Ｈに固定された筐体３４０に回転自在に取り付けるための軸嵌挿孔３３１ａを有する取付部３３１が設けられている。そして、図５に示すように、この取付部３３１の軸嵌挿孔３３１ａに、筐体３４０に設けられた支持軸３４１が回転自在に通されることにより、保持部材３０２が筐体３４０に取り付けられて出し入れ口３２５が天井壁Ｈに対して回転自在とされている。
【００４２】
又、裏枠片３２２の背面側における前部側には、筐体３４０に係脱自在に係止する係止手段としての弾性を有する係止片３３２が設けられている。そして、図５に示すように、この係止片３３２が、筐体３４０に設けられた弾性を有する係止用突片３４２に係止されることにより、保持部材３０２がほぼ水平状態になって筐体３４０内に入った状態で係止される。
【００４３】
又、その係止を外すことにより、図６に示すように、保持部材３０２の出し入れ口３２５側の前部側が回転して保持部材３０２がほぼ鉛直状態になって出し入れ口３２５が下を向いた状態になる。
【００４４】
このように構成された保持部材３０２の収納部３２４に面状発光モジュール１を収納する場合は、例えば保持部材３０２の係止片３３２を筐体３４０の係止用突片３４２から係止を外した図６に示す状態で、面状発光モジュール１を、出し入れ口３２５から収納部３２４に押し入れていく。
【００４５】
その際、突条３２６が面状発光モジュール１の開口溝２２１、２２２にはまり込んで摺動するため、容易に押し入れることができる。又、面状発光モジュール１を、収納部３２４に押し入れた状態で、図８に示すように保持部材３０２の給電端子３２７と面状発光モジュール１の電極端子２３２、２５２とが接触して通電可能に接続する。
【００４６】
又、面状発光モジュール１の開口溝２１、２２（図２参照）は手の指が入らない程度の溝幅のものであるため、例えば誤って、保持部材３０２の給電端子３２７から電力供給可能状態で面状発光モジュールを取り扱っても安全に行うことができ、面状発光モジュールの着脱の作業の際の安全性を向上させることができる。
【００４７】
そして、面状発光モジュール１を保持部材３０２の収納部３２４に収納した後、図５に示すように保持部材３０２を回転させて筐体３４０の係止用突片３４２に保持部材３０２の係止片３３２を押圧することによって係止させる。これにより、面状発光モジュール１を装着した照明器具３００を天井壁Ｈに取り付けることができる。
【００４８】
この状態から、照明器具３００の電源部から保持部材３０２の給電端子３２７を介して面状発光モジュール１における透明電極３の透明電極端子３２及び金属反射電極５の金属反射電極端子５２に電力を供給することにより、有機発光層４が発光し、基板２の表面２ａ側から照射する。
【００４９】
尚、上記実施形態では、保持部材３０２を天井壁Ｈに筐体３４０を介して取り付けているが、例えば保持部材３０２を天井壁Ｈに直接取り付けるようにしても良い。又、保持部材３０２を取り付ける壁面は、天井壁に限らず、側壁等であっても良く、適宜変更できる。
【００５０】
又、上記実施形態では、面状発光モジュール１を、保持部材３０２に保持させているが、この形態のものに限らず、例えば直接天井壁等の壁面に取り付けるようにして良い。又、保持部材３０２に保持させる場合、保持部材３０２は、上記のものに限らず、適宜変更できる。
【図面の簡単な説明】
【００５１】
【図１】本発明の面状発光モジュールの一実施の形態の概略の背面図である。
【図２】図１のＩＩ−ＩＩ線の拡大断面図である。
【図３】面状発光モジュールの他の実施形態の断面図である。
【図４】図４（Ａ）は、面状発光モジュールの更に他の実施形態の断面図、図４（Ｂ）は、面状発光モジュールの更に他の実施形態の要部断面図である。
【図５】本発明の照明器具の概略図である。
【図６】保持部材に面状発光モジュールを保持させる際の説明図である。
【図７】保持部材の斜視図である。
【図８】面状発光モジュールが保持部材に保持された状態の断面図である。
【符号の説明】
【００５２】
１    面状発光モジュール
２    基板
３    透明電極
４    有機発光層
５    金属反射電極
６    封止層
２１    第１の開口溝
２２    第２の開口溝
３２    透明電極端子（電極端子）
５２    金属反射電極端子（電極端子）
３００    照明器具
３０２    保持部材
３２４    収納部
３２５    出し入れ口
【図１】
0004915589.tif 000002
【図２】
0004915589.tif 000003
【図３】
0004915589.tif 000004
【図４】
0004915589.tif 000005
【図５】
0004915589.tif 000006
【図６】
0004915589.tif 000007
【図７】
0004915589.tif 000008
【図８】
0004915589.tif 000009